(57)【要約】【課題】電気化学表示素子の応答速度を向上させるとともに、表示する画像の階調制御を容易に行うことができる表示装置を提供する。【解決手段】第１の電圧と前記第１の電圧より絶対値が低い第２の電圧とを切り替えて書き込み電圧として所定の電気化学表示素子に印加する電圧印加手段と、表示する画像の濃度が所定値以上の電気化学表示素子を判定する画素判定手段と、書き込み電圧を印加する時間を第１の書き込み期間と第２の書き込み期間とに分割し、第１の書き込み期間では画素判定手段が表示する画像の濃度が所定値以上と判定した電気化学表示素子に第１の電圧を印加し、第２の書き込み期間ではそれぞれの電気化学表示素子の表示する画像の濃度に応じて所定の期間前記第２の電圧を印加するよう電圧印加手段を制御する電圧印加制御手段と、を有することを特徴とする表示装置。【選択図】図３
2010113053.tif 000002
【特許請求の範囲】
【請求項１】
マトリクス状に配列した電気化学表示素子からなる表示画面を有し、消去電圧を前記電気化学表示素子に印加して画像を消去した後、書き込み電圧を前記電気化学表示素子に印加して画像を表示する表示装置であって、
第１の電圧と前記第１の電圧より絶対値が低い第２の電圧とを切り替えて前記書き込み電圧として所定の前記電気化学表示素子に印加する電圧印加手段と、
表示する画像の濃度が所定値以上の前記電気化学表示素子を判定する画素判定手段と、
前記書き込み電圧を印加する時間を第１の書き込み期間と第２の書き込み期間とに分割し、前記第１の書き込み期間では前記画素判定手段が前記表示する画像の濃度が所定値以上と判定した前記電気化学表示素子に前記第１の電圧を印加し、前記第２の書き込み期間ではそれぞれの前記電気化学表示素子の表示する画像の濃度に応じて所定の期間前記第２の電圧を印加するよう前記電圧印加手段を制御する電圧印加制御手段と、
を有することを特徴とする表示装置。
【請求項２】
前記第１の書き込み期間と前記第２の書き込み期間とは、
それぞれ少なくとも１つのフレーム期間からなり、
前記電圧印加制御手段は、
それぞれの前記電気化学表示素子が表示する画像の濃度に応じた回数のフレーム期間の間、前記書き込み電圧を前記電気化学表示素子に印加することを特徴とする請求項１に記載の表示装置。
【請求項３】
前記フレーム期間は、
前記電気化学表示素子を順次走査する時間と書き込みを開始してからの前記フレーム期間の順番に応じた待機時間とからなることを特徴とする請求項１または２に記載の表示装置。
【請求項４】
前記電圧印加制御手段は、
画像を表示中の前記電気化学表示素子に追記電圧を印加して画像を追記する第２の書き込みモードを有し、
前記第２の書き込みモードの間、前記電圧印加手段が同一電圧の前記追記電圧を前記電気化学表示素子に印加するように制御することを特徴とする請求項１から３の何れか１項に記載の表示装置。
【発明の詳細な説明】
【技術分野】
【０００１】
本発明は、表示装置に関する。
【背景技術】
【０００２】
近年、パーソナルコンピューターの動作速度の向上、ネットワークインフラの普及、データストレージの大容量化と低価格化に伴い、従来紙への印刷物で提供されたドキュメントや画像等の情報を、より簡便な電子情報として入手、電子情報を閲覧する機会が益々増大している。
【０００３】
この様な電子情報の閲覧手段として、従来の液晶ディスプレイやＣＲＴ、また近年では、有機ＥＬディスプレイ等の発光型が主として用いられているが、特に、電子情報がドキュメント情報の場合、比較的長時間にわたってこの閲覧手段を注視する必要があり、これらの行為は必ずしも人間に優しい手段とは言い難く、一般に発光型のディスプレイの欠点として、フリッカーで目が疲労する、持ち運びに不便、読む姿勢が制限され、静止画面に視線を合わせる必要が生じる、長時間読むと消費電力が嵩む等が知られている。
【０００４】
これらの欠点を解消する表示方式として、金属または金属塩の溶解析出を利用するエレクトロデポジション方式（以下、ＥＤ方式と略す）が知られている。（例えば、特許文献１参照。）。
【０００５】
ＥＤ方式の表示素子（以下電気化学表示素子と略す）は、３Ｖ以下の低電圧で駆動が可能で、簡便なセル構成、また、優れた表示品位（明るいペーパーライクな白と引き締まった黒）といった特長を持っている。
【０００６】
このような電気化学表示素子をマトリックス状に複数配設し、マトリックス駆動を行って画像の書き込みと画像の消去を行う表示装置が提案されている（例えば、特許文献２参照）。
【特許文献１】特許第３４２８６０３号公報
【特許文献２】特開２００２−２５８３２７号公報
【発明の開示】
【発明が解決しようとする課題】
【０００７】
表示装置で電子情報を閲覧する際には、数秒以内、より好ましくは１秒以内で次の画面の表示に切り替わることが望まれている。しかしながら、電気化学表示素子は表示の応答速度が遅いためこのような要望に応えることは難しい。
【０００８】
電気化学表示素子の応答速度を上げるひとつの方法として、駆動電圧を高くし、電気化学表示素子に流れる電流を増やすことが考えられる。しかし、電気化学表示素子は、金属または金属塩の溶解析出を利用しているため、電圧を印加した直後に大電流が流れて急速に表示濃度が増し、その後ゆるやかに表示濃度が増加する。
【０００９】
そのため、応答速度を上げようとして駆動電圧を高く設定すると、電圧印加直後の濃度変化が急峻になりすぎ、階調制御が困難になるという問題があった。
【００１０】
本発明は、上記課題に鑑みてなされたものであって、電気化学表示素子の応答速度を向上させるとともに、表示する画像の階調制御を容易に行うことができる表示装置を提供することを目的とする。
【課題を解決するための手段】
【００１１】
本発明の目的は、下記構成により達成することができる。
【００１２】
１．マトリクス状に配列した電気化学表示素子からなる表示画面を有し、消去電圧を前記電気化学表示素子に印加して画像を消去した後、書き込み電圧を前記電気化学表示素子に印加して画像を表示する表示装置であって、
第１の電圧と前記第１の電圧より絶対値が低い第２の電圧とを切り替えて前記書き込み電圧として所定の前記電気化学表示素子に印加する電圧印加手段と、
表示する画像の濃度が所定値以上の前記電気化学表示素子を判定する画素判定手段と、
前記書き込み電圧を印加する時間を第１の書き込み期間と第２の書き込み期間とに分割し、前記第１の書き込み期間では前記画素判定手段が前記表示する画像の濃度が所定値以上と判定した前記電気化学表示素子に前記第１の電圧を印加し、前記第２の書き込み期間ではそれぞれの前記電気化学表示素子の表示する画像の濃度に応じて所定の期間前記第２の電圧を印加するよう前記電圧印加手段を制御する電圧印加制御手段と、
を有することを特徴とする表示装置。
【００１３】
２．前記第１の書き込み期間と前記第２の書き込み期間とは、
それぞれ少なくとも１つのフレーム期間からなり、
前記電圧印加制御手段は、
それぞれの前記電気化学表示素子が表示する画像の濃度に応じた回数のフレーム期間の間、前記書き込み電圧を前記電気化学表示素子に印加することを特徴とする前記１に記載の表示装置。
【００１４】
３．前記フレーム期間は、
前記電気化学表示素子を順次走査する時間と書き込みを開始してからの前記フレーム期間の順番に応じた待機時間とからなることを特徴とする前記１または２に記載の表示装置。
【００１５】
４．前記電圧印加制御手段は、
画像を表示中の前記電気化学表示素子に追記電圧を印加して画像を追記する第２の書き込みモードを有し、
前記第２の書き込みモードの間、前記電圧印加手段が同一電圧の前記追記電圧を前記電気化学表示素子に印加するように制御することを特徴とする前記１から３の何れか１項に記載の表示装置。
【発明の効果】
【００１６】
本発明によれば、表示する画像の濃度が所定値以上の電気化学表示素子には第１の書き込み期間の間、第１の電圧を印加し、第２の書き込み期間の間ではそれぞれの電気化学表示素子の表示する画像の濃度に応じて所定の期間、第１の電圧より絶対値が低い第２の電圧を印加する。
【００１７】
したがって、電気化学表示素子の応答速度を向上させるとともに、表示する画像の階調制御を容易に行うことができる表示装置を提供することができる。
【発明を実施するための最良の形態】
【００１８】
以下、図面に基づき本発明の実施形態を説明する。
【００１９】
図１は、本発明の実施形態に係る表示装置の一例を示す外観図である。
【００２０】
表示装置１００は、例えばタブレットＰＣや電子ブック、ＰＤＡであり、図１には図示せぬメモリ１０に記憶されている画像や文字などのデータを表示画面５０に表示する。表示画面５０には白、黒の階調表示が可能なメモリー性表示素子である図１には図示せぬ電気化学表示素子１が用いられている。操作部４２にはメカニカルスイッチからなる順送りボタン４３と逆送りボタン４４が設けられている。例えば、ユーザが順送りボタン４３を押すと表示画面５０に表示されているデータの次のページのデータをメモリ１０から読み出して表示する。同様に、ユーザが逆送りボタン４４を押すと表示画面５０に表示されているデータの前のページのデータをメモリ１０から読み出して表示する。
【００２１】
また、図１の例では表示画面５０の上層はタッチパネル４０になっている。ユーザは、タッチパネル４０への入力操作により、手書きモードへの切換を行った後、画面上の位置または領域を指定し、手書き入力を行う。タッチパネル４０への入力操作は図１には図示せぬスタイラスペンを用いても良いし、直接指などでタッチパネル４０を操作しても良い。
【００２２】
図２は本発明の表示装置の一実施形態であるＥＤ方式の電気化学表示素子１の基本的な構成を示す概略断面図である。
【００２３】
図２に示すＥＤ方式の電気化学表示素子１は、透明なＩＴＯ電極３２と銀電極３０との間に電解質３１を保持している。ＩＴＯ電極３２と銀電極３０には電源３４が接続されている。
【００２４】
図２（ａ）はＩＴＯ電極３２側に黒を表示している状態である。
【００２５】
図２（ａ）のように電源３４からＩＴＯ電極３２に、銀電極３０の電圧より低い電圧を印加すると図中の矢印方向に電流が流れ、ＩＴＯ電極３２側の電解質３１中に含まれる銀の析出反応が生じる。
【００２６】
３５は析出した銀であり、析出した銀３５は光を吸収するので、ＩＴＯ電極３２から見た電気化学表示素子１の濃度が高くなる。３６は溶解した銀である。
【００２７】
図２（ｂ）はＩＴＯ電極３２に白を表示している状態である。
【００２８】
図２（ｂ）のように電源３４からＩＴＯ電極３２に、銀電極３０の電圧より高い電圧を印加すると、図中の矢印方向に電流が流れ、ＩＴＯ電極３２側の電解質３１中に含まれる銀の溶解反応が生じる。析出した銀は溶解し、一定時間電圧を図２（ａ）と逆方向に印加するとＩＴＯ電極３２から見た電気化学表示素子１の濃度は初期状態の白色になる。
【００２９】
電気化学表示素子１に含まれる電解質３１は、例えば銀塩水溶液より非水系銀塩溶液に銀を転相させることにより調製できる。このような銀塩水溶液は、公知の銀塩を水に溶解して調製することができる。
【００３０】
図３は本発明の実施形態に係る表示装置の構成を示す図である。図３では説明を簡単にするため３行×３列の画素を有する表示装置の構成を示したが、本発明はこの画素数に限定されるものではなくｎ行×ｍ列の画素を有する表示装置に適用できる。
【００３１】
図３に示す各画素は、電気化学表示素子１、駆動トランジスタ２、スイッチングトランジスタ４から構成される。図４ではｎ行×ｍ列の画素の電気化学表示素子１をそれぞれＰｎｍと表記している。例えば１行、１列目の画素の電気化学表示素子１はＰ１１、１行、２列目の画素の電気化学表示素子１はＰ１２、というように順に表記している。
【００３２】
符号５ａ、５ｂ、５ｃは走査線で、行方向に並んだ画素それぞれのスイッチングトランジスタ４のゲートを互いに接続し、ゲートドライバ１２に接続されている。符号８ａ、８ｂ、８ｃは信号線で列方向に並んだ画素それぞれのスイッチングトランジスタ４のソースを互いに接続し、ソースドライバ１４に接続されている。ゲートドライバ１２が走査線５ａ、５ｂ、５ｃに出力電圧Ｇ１、Ｇ２、Ｇ３を出力することにより、スイッチングトランジスタ４のオン／オフの制御を行い、駆動トランジスタ２に制御電圧を印加する行を選択する。駆動トランジスタ２のドレイン側は各画素の電気化学表示素子１の銀電極３０に接続され、ソース側はバスライン６に接続され、基準となるバス電圧ＶＢが印加されている。
【００３３】
ソースドライバ１４は、信号線８ａ、８ｂ、８ｃ毎にドライバ回路を有し、電圧印加制御部７４の制御に基づいて出力側に接続された信号線８ａ、８ｂ、８ｃに出力電圧Ｓ１、Ｓ２、Ｓ３を出力する。ソースドライバ１４のドライバ回路はオン、オフの２値ドライバであり、電圧印加制御部７４の制御に基づいてソースドライバ１４に入力された制御電圧ＶＳまたはオフ電圧である０Ｖを出力する。
【００３４】
制御電圧電源１５は、電源制御部７２の制御に基づいて制御電圧ＶＳを出力しソースドライバ１４に供給する。
【００３５】
バスライン７は各画素の電気化学表示素子１のＩＴＯ電極３２と接続され、またその一端はコモン電源１３に接続されている。コモン電源１３は、電圧印加制御部７４の指令により、コモン電圧ＶＣを複数の電圧に切り替えて出力する。電圧印加制御部７４は本発明の電圧印加制御手段である。
【００３６】
本実施形態では、コモン電源１３は書き込み電圧としてコモン電圧ＶＣをバス電圧ＶＢより低い正の電圧ＶｃａまたはＶｃｂに切り替えて電気化学表示素子１に供給する。駆動トランジスタ２がオンになると、電気化学表示素子１の銀電極３０にはＶＢが印加され、ＩＴＯ電極３２にはＶｃａまたはＶｃｂが印加される。したがって、電気化学表示素子１には電極間の差電圧ＶＢ−ＶｃａまたはＶＢ−Ｖｃｂが書き込み電圧として印加される。ＶＢ−Ｖｃａは本発明の第１の電圧、ＶＢ−Ｖｃｂは本発明の第２の電圧であり、｜ＶＢ−Ｖｃａ｜＞｜ＶＢ−Ｖｃｂ｜である。また、コモン電源１３は電圧印加制御部７４の指令により、消去電圧としてコモン電圧ＶＣをバス電圧ＶＢより高い電圧に切り替えて電気化学表示素子１に供給できる。なお、消去電圧はＶＳより低い電圧である。
【００３７】
制御電圧ＶＳの出力電圧Ｓ１、Ｓ２、Ｓ３がオン電圧であるＶＳのとき、スイッチングトランジスタ４がオンになると、駆動トランジスタ２のゲートにＶＳが印加され、駆動トランジスタ２はオンになり電気化学表示素子１にはコモン電圧ＶＣが印加される。その後、スイッチングトランジスタ４がオフになってもゲートの図示せぬ浮遊容量により、駆動トランジスタ２はオン状態を保持する。
【００３８】
ソースドライバ１４の出力電圧がオフ電圧である０Ｖのとき、スイッチングトランジスタ４がオンになると、駆動トランジスタ２のゲートに０Ｖが印加され、駆動トランジスタ２はオフになる。コモン電源１３と駆動トランジスタ２とは、本発明の電圧印加手段である。
【００３９】
記憶部１０は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記録媒体から構成されている。
【００４０】
第１フレームメモリ６０、第２フレームメモリ６１は、それぞれ表示画面５０の画素数に対応する記憶領域を有する１画面分のフレームメモリである。第１フレームメモリ６０は、電気化学表示素子１が次に表示画面５０に表示する表示濃度の値Ｘを記憶する。第２フレームメモリ６１は、電気化学表示素子１が表示画面５０に表示中の表示濃度の値Ｙを記憶する。図面上では第１フレームメモリ６０、第２フレームメモリ６１をそれぞれＦＭ１、ＦＭ２と表記する。
【００４１】
第３フレームメモリ６２は、複数ページ分の画像データ（表示濃度の値Ｘ）を記憶する容量を有し、操作部４２の操作により指定されたページの表示濃度の値Ｘを第１フレームメモリ６０に書き込めるように構成されている。
【００４２】
タッチパネル４０は表示画面５０の上層に設けられている。タッチパネルコントローラ４１は、ＣＰＵ７１の指令によりタッチパネル４０を駆動し、読みとった入力位置情報を制御部に送信する。
【００４３】
タッチパネルコントローラ４１は、タッチパネル４０の入力域を順次走査し、タッチパネル４０に入力があると割り込み信号ＩＮＴ１をＣＰＵ７１に送信し、入力があった場所の位置情報をＣＰＵ７１に送信する。
【００４４】
操作部４２は、メカニカルスイッチから構成される順送りボタン４３、逆送りボタン４４がＯＮになると割り込み信号ＩＮＴ２をＣＰＵ７１に送信し、操作されたボタンの情報をＣＰＵ７１に送信する。
【００４５】
Ｂ１はアドレスバス、データバスを含むバスラインである。Ｂ１には表示コントローラ１１、ＣＰＵ７１、記憶部１０、第１フレームメモリ６０、第２フレームメモリ６１、第３フレームメモリ６２、タッチパネルコントローラ４１などが接続され、接続された各要素はＢ１を介してデータの交換を行う。
【００４６】
ＣＰＵ７１は記憶部１０に記憶されているプログラムに基づいて表示装置１００全体を制御する。
【００４７】
電源制御部７２は、制御電圧電源１５を制御する。
【００４８】
画素判定部７３は、次に表示画面５０に表示する表示濃度の値Ｘが所定値以上の電気化学表示素子１を判定する。７３は、本発明の画素判定手段である。
【００４９】
電圧印加制御部７４は、コモン電源１３を制御し、コモン電圧ＶＣを複数の電圧に切り替え、それぞれの電気化学表示素子１に消去電圧または書き込み電圧を印加するよう駆動トランジスタ２を制御する。
【００５０】
比較部７５は、第１フレームメモリ６０と第２フレームメモリ６１とから、対応する画素の表示濃度の値Ｘと表示濃度の値Ｙとをそれぞれ読み出して比較する。
【００５１】
次に、図４、図５を用いて本発明による書き込み電圧の印加と電気化学表示素子１の表示濃度Ｄとの関係を説明する。
【００５２】
図４は、本発明の表示装置によって第２の書き込みモードの書き込みを行うときの書き込み電圧と書き込み電圧を印加する時間と電気化学表示素子１の表示濃度Ｄとの関係の一例を説明する図である。図５は、本発明の表示装置によって第１の書き込みモードの書き込みを行うときの書き込み電圧と書き込み電圧を印加する時間と電気化学表示素子１の表示濃度Ｄとの関係の一例を説明する図である。
【００５３】
図４、図５の横軸は書き込み電圧を印加する時間である。図４（ａ）、（ｂ）、図５（ａ）、（ｂ）の縦軸はＩＴＯ電極３２に印加するコモン電圧ＶＣを表す。なお、銀電極３０にはバス電圧ＶＢが印加されているものとする。図４（ｃ）、（ｄ）、図５（ｃ）、（ｄ）の横軸の数値は、表示装置１００の電気化学表示素子１を順次走査するフレーム期間の回数を表し、縦軸のｄ０〜ｄ８は表示濃度の値Ｄである。縦軸のｄ０は電気化学表示素子１の最小表示濃度、ｄ８は目標とする最大表示濃度であり本実施形態では０から８までの９段階の階調を表示するものとする。
【００５４】
図４（ａ）のように、コモン電圧ＶＣをＶｃｂにして電気化学表示素子１に印加すると、図４（ｃ）のように、時間とともに表示濃度の値Ｄは増していく。図４（ｃ）の例では第１２フレーム目に表示濃度の値はｄ８になる。
【００５５】
一方、図４（ｂ）のように、コモン電圧ＶＣをＶｃａにして電気化学表示素子１に印加すると、｜ＶＢ−Ｖｃａ｜＞｜ＶＢ−Ｖｃｂ｜なので図４（ｄ）に実線で示すように、時間とともに急激に表示濃度Ｄが増していく。図４（ｄ）の例では第５フレーム目に表示濃度はｄ８になる。しかしながら、表示濃度Ｄが急激に変化するので濃度制御が難しい。図４（ｄ）には比較のためコモン電圧ＶＣをＶｃｂにした場合を点線で示している。
【００５６】
次に、図５を用いて本発明による書き込み電圧の印加と電気化学表示素子１の表示濃度Ｄとの関係を説明する。
【００５７】
本発明では、表示画面５０に表示する表示濃度の値Ｘが閾値濃度Ｄｔｈを越える電気化学表示素子１には、図５（ａ）のように、例えば０〜ｔ１までの間、コモン電圧ＶＣをＶｃａにして電気化学表示素子１に印加し、ｔ１〜ｔ２までの間、コモン電圧ＶＣをＶｃｂにして電気化学表示素子１に印加する。０〜ｔ１は第１の書き込み期間、ｔ１〜ｔ２は第２の書き込み期間である。
【００５８】
すると、図５（ｃ）に実線で示すように、０〜ｔ１までの間、時間とともに急激に表示濃度Ｄが増し、ｔ１〜ｔ２までの間は比較的緩やかに表示濃度Ｄが増している。図５（ｃ）の例では、閾値濃度Ｄｔｈはｄ５であり、表示濃度の値Ｘがｄ６、ｄ７、ｄ８の電気化学表示素子１に第１の書き込み期間にＶｃａを印加する。すると、図５（ｃ）のように第３フレーム目に表示濃度はｄ６、第４フレーム目に表示濃度はｄ７、第８フレーム目に表示濃度はｄ８になるので、電気化学表示素子１に短時間で閾値濃度Ｄｔｈを越える表示濃度を表示させることができる。図５（ｃ）には比較のためコモン電圧ＶＣをＶｃｂ一定にした場合を点線で示している。
【００５９】
一方、表示濃度の値Ｘが閾値濃度Ｄｔｈ以下の電気化学表示素子１には、図５（ｂ）のように、０〜ｔ１までの間、電気化学表示素子１に電圧を印加せず、ｔ１〜ｔ２までの間にコモン電圧ＶＣをＶｃｂにして電気化学表示素子１に印加する。
【００６０】
すると、図５（ｄ）に実線で示すように、ｔ１〜ｔ２までの間は比較的緩やかに表示濃度Ｄが増し、容易に階調制御を行うことができる。
【００６１】
図５（ｄ）の例では、閾値濃度Ｄｔｈはｄ５であり、表示濃度の値Ｘがｄ１〜ｄ５の電気化学表示素子１に第２の書き込み期間にＶｃｂを印加する。すると、図５（ｄ）のように第４フレーム目に表示濃度はｄ１、第５フレーム目に表示濃度はｄ２、第６フレーム目に表示濃度はｄ３、第７フレーム目に表示濃度はｄ４、第８フレーム目に表示濃度はｄ５になる。
【００６２】
このように、本発明では書き込み時間を制御することにより短時間で所望の階調が得られる。
【００６３】
次に、図６と図７を用いて本発明の表示装置１００に画像を表示させるときの制御を説明する。
【００６４】
図６は電気化学表示素子１に画像を表示させるときの各部の電圧の変化を示すタイムチャート、図７は本発明の実施形態における操作ボタン割り込み処理ルーチンの手順を説明するためのフローチャートである。
【００６５】
図６では、電気化学表示素子１に消去電圧が印加して、全ての電気化学表示素子１の画像を消去した後、書き込みを行う第１の書き込みモードについて説明する。
【００６６】
最初に、図６のタイムチャートを用いて１行目のＰ１１、Ｐ１２、Ｐ１３に印加される電圧Ｖｐ１１、Ｖｐ１２、Ｖｐ１３について説明する。図６のタイムチャートの横軸は時間軸であり、Ｆｗ１〜Ｆｗ６は第１フレーム〜第６フレームを表している。ＦｗＮと表記するときのＮはフレーム番号であり、書き込みを開始してからのフレーム期間の回数を表す。
【００６７】
なお、図６のタイムチャートでは図面を簡略化するためＦｗ６までしか表示していない。Ｆｗ１〜Ｆｗ３の間は第１の書き込み期間、Ｆｗ４以降は第２の書き込み期間である。
【００６８】
最初に、各フレームＦｗにおけるゲートドライバ１２の出力電圧Ｇ１、Ｇ２、Ｇ３について説明する。
【００６９】
ゲートドライバ１２の１行目の出力電圧Ｇ１がΔＴの間‘Ｈ’になると、１行目のスイッチングトランジスタ４がオンになる。すると、１行目のＰ１１、Ｐ１２、Ｐ１３に接続されている駆動トランジスタ２のゲート電圧は、それぞれソースドライバ１４の出力Ｓ１、Ｓ２、Ｓ３に設定され図示せぬ浮遊容量に保持される。そのため、ソースドライバ１４の出力がＶＳ１のときスイッチングトランジスタ４がオンになると、駆動トランジスタ２はオンになり、次にソースドライバ１４の出力が０Ｖのときスイッチングトランジスタ４がオンになるまで駆動トランジスタ２はオン状態を保持する。
【００７０】
次に、ゲートドライバ１２の２行目の出力電圧Ｇ２がΔＴの間‘Ｈ’になり、２行目のＰ２１、Ｐ２２、Ｐ２３に接続されている駆動トランジスタ２のゲート電圧はそれぞれソースドライバ１４の出力Ｓ１、Ｓ２、Ｓ３に設定され図示せぬ浮遊容量に保持される。同様に、３行目のＰ３１、Ｐ３２、Ｐ３３に接続されている駆動トランジスタ２のゲート電圧もそれぞれソースドライバ１４の出力Ｓ１、Ｓ２、Ｓ３に設定され図示せぬ浮遊容量に保持される。
【００７１】
ソースドライバ１４の出力Ｓ１、Ｓ２、Ｓ３は、電気化学表示素子１の表示する画像の濃度である表示濃度の値Ｘに応じて設定される。本例では、電気化学表示素子１は図５に示す表示特性を有しているものとし、Ｐ１１、Ｐ１２の表示濃度の値Ｘはｄ８、Ｐ１３の表示濃度の値Ｘはｄ３とする。
【００７２】
図５の例では閾値濃度Ｄｔｈはｄ５であるから、Ｐ１１、Ｐ１２は閾値濃度Ｄｔｈを越え、Ｐ１３は閾値濃度Ｄｔｈ以下である。そのため、第１の書き込み期間であるフレームＦｗ１〜Ｆｗ３ではソースドライバ１４の出力Ｓ１、Ｓ２はＶＳ１であり、Ｓ３は０である。第２の書き込み期間であるフレームＦｗ４〜Ｆｗ６ではソースドライバ１４の出力Ｓ１、Ｓ２、Ｓ３はＶＳ１である。
【００７３】
また、コモン電圧ＶＣは、Ｆｗ１〜Ｆｗ３の間はＶｃａ、Ｆｗ４以降はＶｃｂである。
【００７４】
フレームＦｗ１〜Ｆｗ３では、Ｐ１１、Ｐ１２に接続されている駆動トランジスタ２がオンになり、Ｐ１１、Ｐ１２にＶｃａが印加される。Ｐ１３に接続されている駆動トランジスタ２はオフになり、Ｐ１３には電圧が印加されない。フレームＦｗ４〜Ｆｗ６では、Ｐ１１、Ｐ１２、Ｐ１３に接続されている駆動トランジスタ２がオンになり、Ｐ１１、Ｐ１２、Ｐ１３にＶｃｂが印加される。
【００７５】
なお、１行目の電気化学表示素子１について説明したが、他の行の電気化学表示素子１にも同様に電圧が印加される。
【００７６】
このようにして、電気化学表示素子１は順次走査され、表示画像Ｘに応じた電圧が所定のフレーム期間の間印加される。
【００７７】
図６の例では、フレームＦｗ５とＦｗ６の期間に待機時間ΔＷ（５）、ΔＷ（６）を設け、Ｆｗ１〜Ｆｗ４と比べて期間が長くなっている。これは、図５からもわかるように書き込み時間に対して電気化学表示素子１の表示濃度Ｄの増加分が一定しないため、Ｆｗ５とＦｗ６の期間を長くして所定の表示濃度Ｄの増加が得られるようにするためである。待機時間ΔＷ（Ｎ）はフレーム番号Ｎに応じて予め設定されている。このように待機時間ΔＷ（Ｎ）を設けると表示濃度Ｄを精度良く所定量増加させることができるので、階調の制御が容易になる。
【００７８】
次に、図７のフローチャートについて説明する。
【００７９】
操作者が操作部４２の順送りボタン４３または逆送りボタン４４を押すと、操作部４２からＣＰＵ７１に割り込み信号ＩＮＴ２が送信され、ＣＰＵ７１では図８に示す操作ボタン割り込み処理ルーチンが起動される。
【００８０】
操作ボタン割り込み処理ルーチンでは最初にステップＳ１０が実行される。
【００８１】
Ｓ１０：タッチパネル４０の機能を停止するステップである。
【００８２】
ＣＰＵ７１は、タッチパネルコントローラ４１を制御し、タッチパネル４０の駆動を停止させる。このようにすると、タッチパネル４０を駆動する電力が不要になり、表示装置１００の消費電力を低減することができる。タッチパネル４０の機能を停止させることは必ずしも必須ではないが、タッチパネル４０の機能を停止させない場合は本ステップで、ＣＰＵ７１は、タッチパネルコントローラ４１からの割り込みＩＮＴ１をマスクする。
【００８３】
Ｓ１１：表示コントローラ１１を第１の書き込みモードに設定するステップである。
【００８４】
ＣＰＵ７１は、表示コントローラ１１を第１の書き込みモードに設定し、実行させる。
【００８５】
Ｓ１２：全画面を消去し、初期化するステップである。
【００８６】
電圧印加制御部７４は、電気化学表示素子１に消去電圧を印加するように各部を制御し、画像を消去する。
【００８７】
Ｓ１３：フレーム番号ＮをＮ＝１にするステップである。
【００８８】
ＣＰＵ７１は、フレーム番号ＮをＮ＝１にする。
【００８９】
Ｓ１４：第３フレームメモリ６２から画像データを読み出すページを指定し、当該ページの表示濃度の値Ｘを第１フレームメモリ６０に書き込むステップである。
【００９０】
ＣＰＵ７１は、第３フレームメモリ６２から画像データを読み出すページを指定し、当該ページの表示濃度の値Ｘを第１フレームメモリ６０に書き込む。
【００９１】
例えば、操作者が操作部４２の順送りボタン４３を押すと、ＣＰＵ７１は第３フレームメモリ６２から読み出すページ指定を第１ページから第２ページに更新し、第２ページに記憶されている画像データ（表示濃度の値Ｘ）を第１フレームメモリ６０に書き込む。
【００９２】
Ｓ１５：ＶＣ＝Ｖｃａにするステップである。
【００９３】
電圧印加制御部７４は、コモン電圧ＶＣをＶｃａにするようコモン電源１３に指令する。
【００９４】
Ｓ１６：ｎ行目の第１フレームメモリ６０の表示濃度の値を所定値と比較するステップである。
【００９５】
画素判定部７３は、第１フレームメモリ６０に記憶されている表示濃度の値Ｘをｎ行目の行方向に順次読み出して閾値濃度Ｄｔｈの値と比較し、Ｘｎｍ＞Ｄｔｈのとき‘Ｈ’、Ｘｎｍ≦Ｄｔｈのとき‘Ｌ’と判定する。比較部７５は、判定した結果を記憶部１０に一時記憶する。
【００９６】
例えば、Ｐ１１の場合、Ｘ１１がｄ８、閾値濃度Ｄｔｈの値がｄ５であったとすると、判定結果は‘Ｈ’であり、以降の処理でＰ１１に第１の書き込み期間から書き込み電圧が加えられる。
【００９７】
Ｓ１７：表示コントローラ１１にステップＳ１６で比較した結果を出力するステップである。
【００９８】
ＣＰＵ７１は、記憶部１０に一時記憶されているステップＳ１６で比較した結果を表示コントローラ１１に出力する。表示コントローラ１１は、‘Ｈ’と判定された列のソースドライバ１４の出力電圧をＶＳ１にし、‘Ｌ’と判定された列のソースドライバ１４の出力電圧を０Ｖにする。
【００９９】
Ｓ１８：ｎとｎｍａｘとを比較するステップである。
【０１００】
ＣＰＵ７１は、ｎと表示装置の最大行ｎｍａｘとを比較する。図３の例ではｎｍａｘは３である。
【０１０１】
ｎ≠ｎｍａｘの場合、（ステップＳ１８；Ｎｏ）、ステップＳ１９に進む。
【０１０２】
Ｓ１９：ｎ＝ｎ＋１とするステップである。
【０１０３】
ＣＰＵ７１は、最大行ｎｍａｘまで比較を終えていないのでｎ＝ｎ＋１とし、ステップＳ２０に進む。
【０１０４】
Ｓ２０：ΔＴ待機するステップである。
【０１０５】
ＣＰＵ７１は、所定の時間ΔＴ待機してからステップＳ１６に戻る。
【０１０６】
ｎ＝ｎｍａｘの場合、（ステップＳ１８；Ｙｅｓ）、ステップＳ２１に進む。
【０１０７】
Ｓ２１：ＮとＮ１とを比較するステップである。
【０１０８】
ＣＰＵ７１は、現在のフレーム番号Ｎと第２の書き込み期間を開始するフレーム番号Ｎ１を比較する。図６の例では第１の書き込み期間はＮ＝０〜３であり、第２フレーム期間の始まるＮ１は４である。
【０１０９】
Ｎ≠Ｎ１の場合、（ステップＳ２１；Ｎｏ）、ステップＳ２２に進む。
【０１１０】
Ｓ２２：Ｎ＝Ｎ＋１とするステップである。
【０１１１】
ＣＰＵ７１は、現在のフレーム番号Ｎ＝Ｎ＋１とし、ステップＳ１６に戻る。
【０１１２】
Ｎ＝Ｎ１の場合、（ステップＳ２１；Ｙｅｓ）、ステップＳ２３に進む。
【０１１３】
Ｓ２３：ＶＣ＝Ｖｃｂにするステップである。
【０１１４】
電圧印加制御部７４は、コモン電圧ＶＣをＶｃｂにするようコモン電源１３に指令する。
【０１１５】
Ｓ２４：ｎ行目の第１フレームメモリ６０の表示濃度の値とＮに基づいて判定するステップである。
【０１１６】
比較部７５は、第１フレームメモリ６０に記憶されている表示濃度の値Ｘをｎ行目の行方向に順次読み出して、現在のフレーム番号Ｎに基づいて記憶部１０に予め記憶されているテーブルを参照し、‘Ｈ’または‘Ｌ’と判定する。比較部７５は、判定した結果を記憶部１０に一時記憶する。
【０１１７】
下表はテーブルの一例である。
【０１１８】
【表１】
2010113053.tif 000003
【０１１９】
例えば、フレーム番号Ｎが４のときＸ１１がｄ６であったとすると、判定結果は‘Ｌ’であり、Ｘ１３がｄ１であったとすると、判定結果は‘Ｈ’である。
【０１２０】
Ｓ２５：表示コントローラ１１にステップＳ２４の判定結果を出力するステップである。
【０１２１】
ＣＰＵ７１は、記憶部１０に一時記憶されているステップＳ２４の判定結果を表示コントローラ１１に出力する。表示コントローラ１１は、‘Ｈ’と判定された列のソースドライバ１４の出力電圧をＶＳ１にし、‘Ｌ’と判定された列のソースドライバ１４の出力電圧を０Ｖにする。
【０１２２】
Ｓ２６：ｎとｎｍａｘとを比較するステップである。
【０１２３】
ＣＰＵ７１は、ｎと表示装置の最大行ｎｍａｘとを比較する。図３の例ではｎｍａｘは３である。
【０１２４】
ｎ≠ｎｍａｘの場合、（ステップＳ２６；Ｎｏ）、ステップＳ２７に進む。
【０１２５】
Ｓ２７：ｎ＝ｎ＋１とするステップである。
【０１２６】
ＣＰＵ７１は、最大行ｎｍａｘまで比較を終えていないのでｎ＝ｎ＋１とし、ステップＳ２８に進む。
【０１２７】
Ｓ２８：ΔＴ待機するステップである。
【０１２８】
ＣＰＵ７１は、所定の時間ΔＴ待機してからステップＳ２４に戻る。
【０１２９】
ｎ＝ｎｍａｘの場合、（ステップＳ２６；Ｙｅｓ）、ステップＳ２９に進む。
【０１３０】
Ｓ２９：ＮとＮｍａｘとを比較するステップである。
【０１３１】
ＣＰＵ７１は、現在のフレーム番号Ｎと最大フレーム番号Ｎｍａｘとを比較する。例えばＮｍａｘは８である。
【０１３２】
Ｎ≠Ｎｍａｘの場合、（ステップＳ２９；Ｎｏ）、ステップＳ３０に進む。
【０１３３】
Ｓ３０：Ｎ＝Ｎ＋１とするステップである。
【０１３４】
ＣＰＵ７１は、現在のフレーム番号Ｎ＝Ｎ＋１とし、ステップＳ３１に進む。
【０１３５】
Ｓ３１：ΔＷ（Ｎ）の間待機するステップである。
【０１３６】
ＣＰＵ７１は、記憶部１０に記憶されている現在のフレーム番号Ｎに対応する所定の待機時間ΔＷ（Ｎ）を読み出し、ΔＷ（Ｎ）の間待機した後、ステップＳ２４に戻る。なお、本実施形態では第２の書き込み期間にしか待機時間ΔＷ（Ｎ）を設けていないが、第１の書き込み期間に待機時間ΔＷ（Ｎ）を設けても良い。
【０１３７】
Ｎ＝Ｎｍａｘの場合、（ステップＳ２９；Ｙｅｓ）、ステップＳ３２に進む。
【０１３８】
Ｓ３２：タッチパネル４０の機能をオンにするステップである。
【０１３９】
ＣＰＵ７１は、タッチパネルコントローラ４１を制御し、タッチパネル４０の駆動を開始させる。または、タッチパネルコントローラ４１からの割り込みＩＮＴ１のマスクを解除する。
【０１４０】
割り込み処理が終了すると元のルーチンに戻る。
【０１４１】
操作ボタン割り込み処理ルーチンの説明は以上である。
【０１４２】
ここまで、いったん画像を消去してから第３フレームメモリ６２に記憶されている画像データを表示画面５０に書き込んで表示する第１の書き込みモードの手順を説明した。次に、表示中の画像にタッチパネル４０からの入力を上書きして追記する第２の書き込みモードについて説明する。以下、図８、図９、図１０を用いて第２の書き込みモードの手順を説明する。
【０１４３】
図８のタイムチャートを用いて１行目のＰ１１、Ｐ１２、Ｐ１３に印加される電圧Ｖｐ１１、Ｖｐ１２、Ｖｐ１３について説明する。なお、これまでに説明した構成要素には同番号を付し説明を省略する。
【０１４４】
図８のタイムチャートの横軸は時間軸であり、Ｆｂ１〜Ｆｂ５は第１フレーム〜第５フレームを表している。ＦｂＮと表記するときのＮはフレーム番号であり、書き込みを開始してからのフレーム期間の回数を表す。
【０１４５】
なお、図８のタイムチャートでは図面を簡略化するためＦｂ５までしか表示していない。第２の書き込みモードでは各フレームの期間の時間間隔は同一であり、第１の書き込み期間、第２の書き込み期間の区別は無い。
【０１４６】
各フレームＦｂにおけるゲートドライバ１２の出力電圧Ｇ１、Ｇ２、Ｇ３については、第１の書き込みモードと同じ動作であり説明を省略する。
【０１４７】
ソースドライバ１４の出力Ｓ１、Ｓ２、Ｓ３は、電気化学表示素子１の表示する画像の濃度である表示濃度の値Ｘと現在表示中の画像の濃度である表示濃度の値Ｙとを比較した結果に応じて設定される。例えば、現在表示中の画像の濃度である表示濃度の値Ｙがｄ５であり、表示する画像の濃度である表示濃度の値Ｘがｄ８のときは、濃度差に相当する３フレームの間、追記書き込みを行う。
【０１４８】
Ｆｂ１を開始する直前にタッチパネル４０から１行目のＰ１１、Ｐ１２、Ｐ１３に相当する位置に入力が行われ、Ｆｂ３を開始する直前にタッチパネル４０から２行目のＰ２１、Ｐ２２、Ｐ２３に相当する位置に入力が行われた例を説明する。なお、３行目には書き込みを行わない。
【０１４９】
このような場合、例えば、後に説明する表示コントローラ割り込み処理ルーチンによりＦｂ１からＦｂ４までは１行目のＰ１１、Ｐ１２、Ｐ１３の表示濃度の値Ｘ＞表示濃度の値Ｙと判定され、追記書き込みを行う。また、Ｆｂ３からは２行目のＰ２１、Ｐ２２、Ｐ２３も表示濃度の値Ｘ＞表示濃度の値Ｙと判定され、追記書き込みを行う。
【０１５０】
そのため、図８に示すようにＦｂ１からＦｂ４までＧ１が‘Ｈ’の間は、ソースドライバ１４の出力Ｓ１、Ｓ２、Ｓ３はＶＳ１であり、Ｆｂ３からＧ２が‘Ｈ’の間は、ソースドライバ１４の出力Ｓ１、Ｓ２、Ｓ３はＶＳ１になっている。
【０１５１】
第２の書き込みモードでは、コモン電圧ＶＣは追記電圧であり、図８の例では一定の電圧Ｖｃｂである。なお、第２の書き込みモードのコモン電圧ＶＣは一定の電圧であればＶｃｂ以外の任意の電圧でも良い。
【０１５２】
図８に示すように、１行目のＶｐ１１、Ｖｐ１２、Ｖｐ１３は、Ｆｂ１からＦｂ４までＶｃｂになる。また、図示せぬ２行目のＶｐ２１、Ｖｐ２２、Ｖｐ２３は、Ｆｂ３からＶｃｂになる。
【０１５３】
第２の書き込みモードでは、コモン電圧ＶＣが一定の電圧であり第１の書き込み期間と第２の書き込み期間の区別が無いので、このように１行目のＰ１１、Ｐ１２、Ｐ１３に書き込みを行っている途中でも、新たに２行目のＰ２１、Ｐ２２、Ｐ２３に書き込みを開始することができる。
【０１５４】
次に、図９を用いて、手書き入力割り込み処理ルーチンを説明する。
【０１５５】
タッチパネル４０にスタイラスペン５５などを用いて入力すると、タッチパネルコントローラ４１からＣＰＵ７１に割り込み信号ＩＮＴ１が送信され、ＣＰＵ７１では図９に示す手書き入力割り込み処理ルーチンが起動される。
【０１５６】
手書き入力割り込み処理ルーチンでは最初にステップＳ２０が実行される。
【０１５７】
Ｓ２０：表示コントローラ１１を第２の書き込みモードに設定するステップである。
【０１５８】
ＣＰＵ７１は、表示コントローラ１１を第２の書き込みモードに設定し、実行させる。
【０１５９】
Ｓ２１：ＶＣをＶｃｂに設定するステップである。
【０１６０】
電圧印加制御部７４は、コモン電圧ＶＣをＶｃｂに設定する。
【０１６１】
Ｓ２２：ＣＰＵ７１が、手書き入力に対応する第１フレームメモリ６０の表示濃度の値Ｘを書き換えるステップである。
【０１６２】
ＣＰＵ７１は、タッチパネルコントローラ４１が検出した位置情報に基づいて第１フレームメモリ６０に記憶されている表示濃度の値Ｘを書き換える。本実施形態では、ＣＰＵ７１は、タッチパネルコントローラ４１が検出した位置情報に対応するアドレスの第１フレームメモリ６０に記憶されている表示濃度の値Ｘを最大濃度であるｄ８に書き換える。
【０１６３】
割り込み処理が終了すると元のルーチンに戻る。
【０１６４】
手書き入力割り込み処理ルーチンの説明は以上である。
【０１６５】
次に、図１０の表示コントローラ割り込み処理ルーチンのフローチャートについて説明する。
【０１６６】
第２の書き込みモードでは表示コントローラ１１からＣＰＵ７１に、各フレームでＧｎの立ち上がり時に割り込み信号ＩＮＴ３が送信される。ＣＰＵ７１が割り込み信号ＩＮＴ３を受信すると、図１０に示す表示コントローラ割り込み処理ルーチンが起動される。なお、電源投入時など初期状態ではｎ＝１に初期化されている。
【０１６７】
Ｓ１０１：ｎ行目の第１フレームメモリ６０と第２フレームメモリ６１の表示濃度の値を比較するステップである。
【０１６８】
比較部７５は、第１フレームメモリ６０に記憶されている表示濃度の値Ｘと第２フレームメモリ６１に記憶されている表示濃度の値Ｙとをそれぞれｎ行目の行方向に順次読み出して比較し、Ｘｎｍ＞Ｙｎｍのとき‘Ｈ’、Ｘｎｍ≦Ｙｎｍのとき‘Ｌ’と判定する。比較部７５は、判定した結果を記憶部１０に一時記憶する。
【０１６９】
例えば、１行目の１列目の場合、Ｘ１１がｄ８、Ｙ１１がｄ０だったとすると、判定結果は‘Ｈ’であり、以降の処理で１行目の１列目の電気化学表示素子１に書き込み電圧が加えられる。
【０１７０】
Ｓ１０２：表示コントローラ１１にステップＳ１０１で比較した結果を出力するステップである。
【０１７１】
ＣＰＵ７１は、記憶部１０に一時記憶されているステップＳ１０２で比較した結果を表示コントローラ１１に出力する。表示コントローラ１１は、‘Ｈ’と判定された列のソースドライバ１４の出力電圧をＶＳ１にし、‘Ｌ’と判定された列のソースドライバ１４の出力電圧を０Ｖにする。
【０１７２】
Ｓ１０３：第２フレームメモリ６１のｎ行目の表示濃度の値Ｙを更新するステップである。
【０１７３】
表示コントローラ１１は、第２フレームメモリ６１のｎ行目の画素に対応する表示濃度の値Ｙをフレーム回数に相当する分だけ増加させる。例えば、表示濃度の値Ｙ１１が０だったとすると１に書き換える。
【０１７４】
Ｓ１０４：ｎとｎｍａｘを比較するステップである。
【０１７５】
ＣＰＵ７１は、ｎと表示装置の最大行ｎｍａｘを比較する。図３の例ではｎｍａｘは３である。
【０１７６】
ｎ≠ｎｍａｘの場合、（ステップＳ１０４；Ｎｏ）、ステップＳ１０５に進む。
【０１７７】
Ｓ１０５：ｎ＝ｎ＋１とするステップである。
【０１７８】
最大行ｎｍａｘまで比較を終えていないのでｎ＝ｎ＋１とし、元のルーチンに戻る。
【０１７９】
例えば、ｎが１のときはｎ＝２とし、次に表示コントローラ１１から割り込み信号ＩＮＴ３が送信されたときは、本ルーチンで２行目の表示濃度を比較することになる。
【０１８０】
ｎ＝ｎｍａｘの場合、（ステップＳ１０４；Ｙｅｓ）、ステップＳ１０６に進む。
【０１８１】
Ｓ１０６：ｎ＝１とするステップである。
【０１８２】
最大行ｎｍａｘまで比較したのでｎ＝１とし、元のルーチンに戻る。
【０１８３】
次に表示コントローラ１１から割り込み信号ＩＮＴ３が送信されたときは、次のフレームの処理であり、本ルーチンで１行目の表示濃度から比較することになる。
【０１８４】
表示コントローラ割り込み処理ルーチンの説明は以上である。
【０１８５】
以上このように、本発明によれば、電気化学表示素子の応答速度を向上させるとともに、表示する画像の階調制御を容易に行うことができる表示装置を提供することができる。
【図面の簡単な説明】
【０１８６】
【図１】本発明の実施形態に係る表示装置の構成を示す図である。
【図２】本発明の表示装置の一実施形態であるＥＤ方式の電気化学表示素子１の基本的な構成を示す概略断面図である。
【図３】本発明の実施形態に係る表示装置の構成を示す図である。
【図４】本発明の表示装置によって第２の書き込みモードの書き込みを行うときの書き込み電圧と書き込み電圧を印加する時間と電気化学表示素子１の表示濃度Ｄとの関係の一例を説明する図である。
【図５】本発明の表示装置によって第１の書き込みモードの書き込みを行うときの書き込み電圧と書き込み電圧を印加する時間と電気化学表示素子１の表示濃度Ｄとの関係の一例を説明する図である。
【図６】第１の書き込みモードで電気化学表示素子１に画像を表示させるときの各部の電圧の変化を示すタイムチャートである。
【図７】本発明の実施形態における操作ボタン割り込み処理ルーチンの手順を説明するためのフローチャートである。
【図８】本発明の実施形態における第２の書き込みモードを説明するためのタイムチャートである。
【図９】手書き入力割り込み処理ルーチンの手順を説明するフローチャートである。
【図１０】表示コントローラ割り込み処理ルーチンの手順を説明するフローチャートである。
【符号の説明】
【０１８７】
１  電気化学表示素子
２  駆動トランジスタ
４  スイッチングトランジスタ
５ａ、５ｂ、５ｃ  走査線
７  バスライン
８ａ、８ｂ、８ｃ  信号線
１０  記憶部
１１  表示コントローラ
１２  ゲートドライバ
１３  コモン電源
１４  ソースドライバ
３０  銀電極
３１  電解質
３２  ＩＴＯ電極
３４  電源
４０  タッチパネル
４１  タッチパネルコントローラ
６０  第１フレームメモリ
６１  第２フレームメモリ
６２  第３フレームメモリ
７０  比較部
７１  ＣＰＵ
７２  電源制御部
７３  
７４  電圧印加制御部
７５  比較部
１００  表示装置
【図１】
2010113053.tif 000004
【図２】
2010113053.tif 000005
【図３】
2010113053.tif 000006
【図４】
2010113053.tif 000007
【図５】
2010113053.tif 000008
【図６】
2010113053.tif 000009
【図７】
2010113053.tif 000010
【図８】
2010113053.tif 000011
【図９】
2010113053.tif 000012
【図１０】
2010113053.tif 000013